(57)【要約】【課題】組み立て工程において基板上へのマイクロフォンジャックと内蔵マイクロフォンの取付けが容易なマイクロフォンユニット、及び該マイクロフォンユニットを具えた録音装置を提供する。【解決手段】本発明に係るマイクロフォンユニット２は、マイクロフォンジャック３と内蔵マイクロフォン４とを筐体21により一体化して構成されたユニット本体20を具え、マイクロフォンジャック３には、入力ピンを挿入すべき挿入孔30がマイクロフォンジャック３の前面から背面へ貫通し、内蔵マイクロフォン４は、マイクロフォンジャック３の背面側に配置されて該背面に近接しており、ユニット本体20の内部には、該内蔵マイクロフォン４のグランド端子41をマイクロフォンジャック３のグランド端子31に接続する接続配線23が設けられている。【選択図】図３
2011035537.tif 000002
【特許請求の範囲】
【請求項１】
外部マイクロフォン装置の入力ピンが挿入されるべきマイクロフォンジャックと、内蔵マイクロフォンとを具え、前記マイクロフォンジャックと内蔵マイクロフォンにはそれぞれグランド端子と出力端子とが配備されているマイクロフォンユニットにおいて、前記マイクロフォンジャックと内蔵マイクロフォンとを外装部材により一体化して構成されたユニット本体を具え、前記マイクロフォンジャックには、入力ピンを挿入すべき挿入孔がマイクロフォンジャックの前面から背面へ貫通し、前記内蔵マイクロフォンは、マイクロフォンジャックの背面側に配置されて該背面に近接又は接触しており、前記ユニット本体の内部には、該内蔵マイクロフォンのグランド端子をマイクロフォンジャックのグランド端子に接続する配線が設けられていることを特徴とするマイクロフォンユニット。
【請求項２】
前記ユニット本体は、前記マイクロフォンジャックと内蔵マイクロフォンとを収容する筐体を前記外装部材として具え、該筐体の内面と内蔵マイクロフォンとの間には防振部材が介在している請求項１に記載のマイクロフォンユニット。
【請求項３】
前記ユニット本体は、前記マイクロフォンジャックと内蔵マイクロフォンとを外装樹脂によってモールドしたものである請求項１に記載のマイクロフォンユニット。
【請求項４】
請求項１乃至請求項３の何れかに記載のマイクロフォンユニットと、該マイクロフォンユニットが搭載された基板を内蔵した機器本体とを具えた録音装置。
【請求項５】
前記マイクロフォンジャック又は内蔵マイクロフォンからの音声信号を録音する録音手段と、該録音手段と前記マイクロフォンジャック又は内蔵マイクロフォンとの電気的な接続を選択的に切り替える切替え手段と、前記マイクロフォンジャックに入力ピンが挿入されているか否かを判断して切替え手段の切替え動作を制御する制御手段とを更に具え、該制御手段は、マイクロフォンジャックに入力ピンが挿入されていると判断したとき、切替え手段の切替え動作を制御して録音手段とマイクロフォンジャックとを電気的に接続する一方、マイクロフォンジャックに入力ピンが挿入されていないと判断したとき、切替え手段の切替え動作を制御して録音手段と内蔵マイクロフォンとを電気的に接続する請求項４に記載の録音装置。
【発明の詳細な説明】
【技術分野】
【０００１】
本発明は、マイクロフォンジャックと内蔵マイクロフォンとを具えたマイクロフォンユニット、及び該マイクロフォンユニットを具えた録音装置に関する。
【背景技術】
【０００２】
この種の録音装置においては、図８に示す様にマイクロフォンユニット(101)が、外部マイクロフォン装置の入力ピン(102)が挿入されるべきマイクロフォンジャック(103)と、内蔵マイクロフォン(104)とを基板(105)上に取り付けて構成されている。そして、マイクロフォンジャック(103)に入力ピン(102)が挿入されている場合には、外部マイクロフォン装置からの音声信号が録音装置において録音され、マイクロフォンジャック(103)から入力ピン(102)が抜かれている場合には、内蔵マイクロフォン(104)からの音声信号が録音装置において録音される。
尚、特許文献１には、上記マイクロフォンジャック(103)と内蔵マイクロフォン(104)との配置が、図８に示した配置と異なるマイクロフォンユニットが開示されている。
【先行技術文献】
【特許文献】
【０００３】
【特許文献１】特開２０００−１５２３６１号公報
【発明の概要】
【発明が解決しようとする課題】
【０００４】
しかしながら、従来のマイクロフォンユニット(101)においては、組み立て工程においてマイクロフォンジャック(103)と内蔵マイクロフォン(104)とを別々に基板(105)上に取り付けなければならないため、基板(105)上へのマイクロフォンジャック(103)と内蔵マイクロフォン(104)の取付けが煩雑であった。
【０００５】
又、基板(105)には、マイクロフォンジャック(103)のグランド端子と出力端子とを接続するための配線と、内蔵マイクロフォン(104)のグランド端子と出力端子とを接続するための配線とを設ける必要があったため、基板(105)上の配線の面積が増大する問題があった。
【０００６】
そこで本発明の目的は、組み立て工程において基板上へのマイクロフォンジャックと内蔵マイクロフォンの取付けが容易なマイクロフォンユニット、及び該マイクロフォンユニットを具えた録音装置を提供することである。
【課題を解決するための手段】
【０００７】
本発明に係るマイクロフォンユニットは、外部マイクロフォン装置の入力ピンが挿入されるべきマイクロフォンジャックと、内蔵マイクロフォンとを具え、前記マイクロフォンジャックと内蔵マイクロフォンにはそれぞれグランド端子と出力端子とが配備されている。ここで、上記マイクロフォンユニットは、前記マイクロフォンジャックと内蔵マイクロフォンとを外装部材により一体化して構成されたユニット本体を具え、前記マイクロフォンジャックには、入力ピンを挿入すべき挿入孔がマイクロフォンジャックの前面から背面へ貫通し、前記内蔵マイクロフォンは、マイクロフォンジャックの背面側に配置されて該背面に近接又は接触しており、前記ユニット本体の内部には、該内蔵マイクロフォンのグランド端子をマイクロフォンジャックのグランド端子に接続する配線が設けられている。
【０００８】
上記マイクロフォンユニットにおいては、ユニット本体がマイクロフォンジャックと内蔵マイクロフォンとを一体化して構成されているので、基板上に上記マイクロフォンユニットを取り付けるだけで、該基板上にマイクロフォンジャックと内蔵マイクロフォンとが配置されることになる。従って、従来の如く、基板上にマイクロフォンジャックと内蔵マイクロフォンとが別々に取り付けられている構成と比較して、組み立て工程において基板上へのマイクロフォンジャックと内蔵マイクロフォンの取付けが簡略化されることになる。
【０００９】
又、上記マイクロフォンユニットにおいては、ユニット本体の内部において内蔵マイクロフォンのグランド端子がマイクロフォンジャックのグランド端子に接続されているので、基板上の配線に接続されるべきマイクロフォンユニットの端子の数が、内蔵マイクロフォンのグランド端子の分だけ減少することになる。よって、基板上には、内蔵マイクロフォンのグランド端子を接続するための配線を設ける必要がなく、従って基板上の配線の面積が減少することになる。
【００１０】
上記マイクロフォンユニットの具体的構成において、前記ユニット本体は、前記マイクロフォンジャックと内蔵マイクロフォンとを収容する筐体を前記外装部材として具え、該筐体の内面と内蔵マイクロフォンとの間には防振部材が介在している。
該具体的構成によれば、マイクロフォンユニットに振動が付与されて該振動によって筐体が振動した場合でも、該振動は防振部材によって吸収される。よって、マイクロフォンユニットに付与された振動は内蔵マイクロフォンに伝搬し難く、従って内蔵マイクロフォンから出力される音声信号には振動ノイズが含まれ難い。
【００１１】
上記マイクロフォンユニットの他の具体的構成において、前記ユニット本体は、前記マイクロフォンジャックと内蔵マイクロフォンとを外装樹脂によってモールドしたものである。
該具体的構成によれば、マイクロフォンユニットに振動が付与された場合でも、該振動は外装樹脂によって吸収される。よって、マイクロフォンユニットに付与された振動は内蔵マイクロフォンに伝搬し難く、従って内蔵マイクロフォンから出力される音声信号には振動ノイズが含まれ難い。
【００１２】
本発明に係る録音装置は、上記マイクロフォンユニットと、該マイクロフォンユニットが搭載された基板を内蔵した機器本体とを具えている。
【００１３】
上記録音装置の具体的構成において、該録音装置は、前記マイクロフォンジャック又は内蔵マイクロフォンからの音声信号を録音する録音手段と、該録音手段と前記マイクロフォンジャック又は内蔵マイクロフォンとの電気的な接続を選択的に切り替える切替え手段と、前記マイクロフォンジャックに入力ピンが挿入されているか否かを判断して切替え手段の切替え動作を制御する制御手段とを更に具え、該制御手段は、マイクロフォンジャックに入力ピンが挿入されていると判断したとき、切替え手段の切替え動作を制御して録音手段とマイクロフォンジャックとを電気的に接続する一方、マイクロフォンジャックに入力ピンが挿入されていないと判断したとき、切替え手段の切替え動作を制御して録音手段と内蔵マイクロフォンとを電気的に接続する。
【００１４】
上記具体的構成によれば、マイクロフォンジャックに入力ピンが挿入されている場合には、外部マイクロフォン装置からの音声信号が録音手段により録音され、マイクロフォンジャックに入力ピンが挿入されていない場合には、内蔵マイクロフォンからの音声信号が録音手段により録音されることになる。
【発明の効果】
【００１５】
本発明に係るマイクロフォンユニット及び録音装置によれば、組み立て工程において基板上へのマイクロフォンジャックと内蔵マイクロフォンの取付けが容易である。
【図面の簡単な説明】
【００１６】
【図１】図１は、本発明の一実施形態に係る録音装置について、外部マイクロフォン装置の入力ピンがマイクロフォンジャックに挿入されていない状態を説明する図である。
【図２】図２は、上記録音装置について、外部マイクロフォン装置の入力ピンがマイクロフォンジャックに挿入されている状態を説明する図である。
【図３】図３は、上記録音装置が具えているマイクロフォンユニットの拡大図である。
【図４】図４は、該マイクロフォンユニットが搭載された基板上の回路構成を示す回路図である。
【図５】図５は、マイクロフォンジャックに入力ピン(51)が挿入されたときの基板上の回路構成を示す回路図である。
【図６】図６は、基板上に配備されているマイクロコンピュータの制御手続きを示すフローチャートである。
【図７】図７は、上記マイクロフォンユニットの改良形態の例を示す平面図である。
【図８】図８は、従来のマイクロフォンユニットを示した平面図である。
【発明を実施するための形態】
【００１７】
以下、本発明の実施の形態につき、図面に沿って具体的に説明する。
本発明の一実施形態に係る録音装置は、図１に示す如く、基板(10)を内蔵した機器本体(１)を具え、該基板(10)にはマイクロフォンユニット(２)が搭載されている。
【００１８】
図３は、マイクロフォンユニット(２)の拡大図である。図３に示す様に、マイクロフォンユニット(２)はユニット本体(20)を具え、該ユニット本体(20)は、外部マイクロフォン装置の入力ピン(51)（図１参照）が図２に示す如く挿入されるべきマイクロフォンジャック(３)と、内蔵マイクロフォン(４)とを筐体(21)内に収容することにより一体化して構成されている。
【００１９】
マイクロフォンジャック(３)には、外部マイクロフォン装置の入力ピン(51)を挿入すべき挿入孔(30)がマイクロフォンジャック(３)の前面から背面へ貫通している。
内蔵マイクロフォン(４)は、マイクロフォンジャック(３)の背面側にて該背面に近接した位置に配置されている。具体的には、内蔵マイクロフォン(４)は、その集音面(43)をマイクロフォンジャック(３)の方へ向けると共に、該集音面(43)をマイクロフォンジャック(３)の挿入孔(30)に重ねて配置されている。
【００２０】
内蔵マイクロフォン(３)は、その集音面(43)の周縁部及び集音面(43)以外の外周面が防振ゴム(６)によって被覆されており、防振ゴム(６)の一部が、筐体(21)の内面と内蔵マイクロフォン(３)の外周面との間に介在している。
又、防振ゴム(６)の他の一部が、マイクロフォンジャック(３)の背面と内蔵マイクロフォン(４)の集音面(43)の周縁部との間に介在している。これにより、マイクロフォンジャック(３)の背面と内蔵マイクロフォン(４)の集音面(43)の周縁部との間の隙間が、防振ゴム(６)によって塞がれている。
【００２１】
マイクロフォンジャック(３)には、グランド端子(31)と、左右一対の出力端子(32)(33)と、入力ピン(51)の挿入を検知するために用いられる検知用端子(34)とが配備されており、これら４つの端子(31)〜(34)は、筐体(21)の外周面に引き出されている。
【００２２】
内蔵マイクロフォン(４)には、グランド端子(41)と出力端子(42)とが配備されており、出力端子(42)は、筐体(21)の外周面に設けられた外部端子(22)に接続されている。内蔵マイクロフォン(４)のグランド端子(41)は、ユニット本体(20)の内部に設けられている接続配線(23)により、マイクロフォンジャック(３)のグランド端子(31)に接続されている。
【００２３】
図４は、基板(10)上の回路構成を示す回路図である。図４に示す様に、基板(10)上には、マイクロフォンジャック(３)のグランド端子(31)が接続されるべきグランド配線(111)と、マイクロフォンジャック(３)の左右一対の出力端子(32)(33)がそれぞれ接続されるべき第１の音声出力配線(112)と、マイクロフォンジャック(３)の検知用端子(34)が接続されるべき検知用配線(113)と、外部端子(22)が接続されるべき第２の音声出力配線(114)とが設けられている。
そして、図４に示す様に基板(10)上にマイクロフォンユニット(２)を搭載することにより、グランド配線(111)にはグランド端子(31)が接続され、第１の音声出力配線(112)には左右一対の出力端子(32)(33)が接続され、検知用配線(113)には検知用端子(34)が接続され、第２の音声出力配線(114)には外部端子(22)が接続されることになる。
【００２４】
図５は、マイクロフォンジャック(３)に入力ピン(51)が挿入されたときの基板(10)上の回路構成を示す回路図である。図５に示す様に、入力ピン(51)には、挿入孔(30)への該入力ピン(51)の挿入時に検知用端子(34)とグランド端子(31)とを電気的に接続すべき短絡配線(511)と、挿入孔(30)への該入力ピン(51)の挿入時に短絡配線(511)と左右一対の出力端子(32)(33)との間にそれぞれ外部マイクロフォン装置(５)内の左右一対のマイクロフォン(52)(53)を接続すべき接続配線(512)が設けられている。
【００２５】
基板(10)上には更に、マイクロフォンユニット(２)のマイクロフォンジャック(３)又は内蔵マイクロフォン(４)からの音声信号を録音する録音手段(12)と、該録音手段(12)と第１の音声出力配線(112)又は第２の音声出力配線(114)との電気的な接続を選択的に切り替える切替え手段(13)と、マイクロフォンジャック(３)に入力ピン(51)が挿入されているか否かを判断して切替え手段(13)の切替え動作を制御する制御手段(14)とが配備されている。尚、録音手段(12)は、そのグランド側がグランド配線(111)に接続されている。
【００２６】
制御手段(14)は、検知用配線(113)に接続されたマイクロコンピュータ(141)と、検知用配線(113)と所定の正電圧Ｖｃｃが印加されるべき電圧印加端子(115)との間に電気的に接続されたプルアップ抵抗(142)とによって構成されている。
【００２７】
図４に示す様にマイクロフォンジャック(３)に入力ピン(51)が挿入されておらず、マイクロフォンジャック(３)の検知用端子(34)とグランド端子(31)との間が電気的に遮断されている場合、検知用端子(34)の電圧レベルは、電圧印加端子(115)に印加されている所定の正電圧Ｖｃｃと同じレベル（ハイレベル）となり、マイクロコンピュータ(141)には所定の正電圧Ｖｃｃが印加されることになる。
一方、図５に示す様にマイクロフォンジャック(３)に入力ピン(51)が挿入されて、マイクロフォンジャック(３)の検知用端子(34)とグランド端子(31)との間が電気的に接続されている場合、検知用端子(34)の電圧レベルは、電圧印加端子(115)に印加されている所定の正電圧Ｖｃｃより低いレベル（ローレベル）となり、マイクロコンピュータ(141)には所定の正電圧Ｖｃｃよりも小さな電圧が印加されることになる。
【００２８】
マイクロコンピュータ(141)は、該マイクロコンピュータ(141)に印加される電圧に基づいて、検知用端子(34)の電圧レベルがどのレベルに設定されているかを判断し、これによりマイクロフォンジャック(３)に入力ピン(51)が挿入されているか否かを判断する。そして、マイクロコンピュータ(141)は、その判断結果に基づいて切替え手段(13)の切替え動作を制御する。
【００２９】
図６は、マイクロコンピュータ(141)の制御手続きを示すフローチャートである。該制御手続きが開始されると、先ずステップＳ１においてマイクロコンピュータ(141)は、該マイクロコンピュータ(141)に印加されている電圧に基づいて、検知用端子(34)の電圧レベルがハイレベル又はローレベルの何れのレベルに設定されているかを判断する。
【００３０】
ステップＳ１においてマイクロコンピュータ(141)が、検知用端子(34)の電圧レベルがハイレベルに設定されていると判断した場合、マイクロコンピュータ(141)は、ステップＳ２においてマイクロフォンジャック(３)に入力ピン(51)が挿入されていないと判断し、次にステップ３において切替え手段(13)の切替え動作を制御することによって、図４に示す様に録音手段(12)と第２の音声出力配線(114)とを電気的に接続する。これにより、録音手段(12)と内蔵マイクロフォン(４)とが外部端子(22)を介して電気的に接続されることになる。
【００３１】
ステップＳ１においてマイクロコンピュータ(141)が、検知用端子(34)の電圧レベルがローレベルに設定されていると判断した場合、マイクロコンピュータ(141)は、ステップＳ４においてマイクロフォンジャック(３)に入力ピン(51)が挿入されていると判断し、次にステップＳ５において切替え手段(13)の切替え動作を制御することによって、図５に示す様に録音手段(12)と第１の音声出力配線(112)とを電気的に接続する。これにより、録音手段(12)とマイクロフォンジャック(３)とが左右一対の出力端子(32)(33)を介して電気的に接続され、その結果、録音手段(12)と外部マイクロフォン装置(５)とが、マイクロフォンジャック(３)を介して電気的に接続されることになる。
【００３２】
上記マイクロコンピュータ(141)の制御手続きによれば、マイクロフォンジャック(３)に入力ピン(51)が挿入されている場合には、外部マイクロフォン装置(５)からの音声信号が録音手段(12)により録音され、マイクロフォンジャック(３)に入力ピン(51)が挿入されていない場合には、内蔵マイクロフォン(４)からの音声信号が録音手段(12)により録音されることになる。
【００３３】
上記マイクロフォンユニット(２)においては、ユニット本体(20)がマイクロフォンジャック(３)と内蔵マイクロフォン(４)とを一体化して構成されているので、基板(10)上に上記マイクロフォンユニット(２)を取り付けるだけで、該基板(10)上にマイクロフォンジャック(３)と内蔵マイクロフォン(４)とが配置されることになる。従って、図８に示す様に、基板(105)上にマイクロフォンジャック(103)と内蔵マイクロフォン(104)とが別々に取り付けられている構成と比較して、組み立て工程において基板上(10)へのマイクロフォンジャック(３)と内蔵マイクロフォン(４)の取付けが簡略化されることになる。
【００３４】
又、上記マイクロフォンユニット(２)においては、ユニット本体(20)の内部において内蔵マイクロフォン(４)のグランド端子(41)がマイクロフォンジャック(３)のグランド端子(31)に接続されているので、基板(10)上の配線に接続されるべきマイクロフォンユニット(２)の端子の数が、内蔵マイクロフォン(４)のグランド端子(41)の分だけ減少することになる。よって、基板(10)上には、内蔵マイクロフォン(４)のグランド端子(41)を接続するための配線を設ける必要がなく、従って基板(10)上の配線の面積が減少することになる。
【００３５】
更に、上記マイクロフォンユニット(２)においては、防振ゴム(６)の一部が、筐体(21)の内面と内蔵マイクロフォン(３)の外周面との間に介在しているので、マイクロフォンユニット(２)に振動が付与されて該振動によって筐体(21)が振動した場合でも、該振動は防振ゴム(６)によって吸収される。よって、マイクロフォンユニット(２)に付与された振動は内蔵マイクロフォン(４)に伝搬し難く、従って内蔵マイクロフォン(４)から出力される音声信号には振動ノイズが含まれ難い。
【００３６】
更に又、上記マイクロフォンユニット(２)においては、防振ゴム(６)の他の一部が、マイクロフォンジャック(３)の背面と内蔵マイクロフォン(４)の集音面(43)の周縁部との間に介在しているので、内蔵マイクロフォン(４)の背面側から伝播する音声が集音面(43)に回りこんで入り込むことが防止され、その結果、内蔵マイクロフォン(４)から出力される音声信号には背面側からの音声ノイズが含まれ難い。
【００３７】
図７は、上記マイクロフォンユニット(２)の改良形態の例を示す平面図である。図７に示す様に、マイクロフォンユニット(２)のユニット本体(20)は、マイクロフォンジャック(３)と内蔵マイクロフォン(４)とを外装樹脂(24)によってモールドしたものであってもよい。該改良形態においては、防振ゴム(６)が設けられておらず、内蔵マイクロフォン(４)は、その集音面(43)の周縁部及び集音面(43)以外の外周面が外装樹脂(24)によって被覆されることになる。
尚、他の各種構成及び配置関係は、図３に示すマイクロフォンユニット(２)と同様である。
【００３８】
上記改良形態のマイクロフォンユニット(２)においては、外装樹脂(24)によって、該マイクロフォンユニット(２)に付与された振動が吸収されることになる。又、該外装樹脂(24)によって、内蔵マイクロフォン(４)の背面側から伝播する音声が集音面(43)に回りこんで入り込むことが防止されることになる。
【００３９】
尚、本発明の各部構成は上記実施形態に限らず、特許請求の範囲に記載の技術的範囲内で種々の変形が可能である。マイクロフォンユニット(２)のユニット本体(20)は、筐体(21)又は外装樹脂(24)によりマイクロフォンジャック(３)と内蔵マイクロフォン(４)とを一体化して構成されたものに限らず、種々の外装部材によりマイクロフォンジャック(３)と内蔵マイクロフォン(４)とを一体化して構成されたものであってもよい。
【００４０】
又、内蔵マイクロフォン(４)は、マイクロフォンジャック(３)の背面に密着していてもよい。この場合、内蔵マイクロフォン(４)の集音面(43)の周縁部とマイクロフォンジャック(３)の背面との間には、防振ゴム(６)又は外装樹脂(24)が介在しないことになるが、内蔵マイクロフォン(４)がマイクロフォンジャック(３)に密着しているので、内蔵マイクロフォン(４)の背面側から伝播する音声が集音面(43)に回りこんで入り込むことが防止されることになる。
【００４１】
更に、マイクロフォンジャック(３)に入力ピン(51)が挿入されているか否かを判断して切替え手段(13)の切替え動作を制御する制御手段(14)には、マイクロコンピュータ(141)とプルアップ抵抗(142)とによって構成された手段に限らず、種々の制御手段を適用することが出来る。
【符号の説明】
【００４２】
(１)  機器本体
(10)  基板
(111) グランド配線
(112) 第１の音声出力配線
(113) 検知用配線
(114) 第２の音声出力配線
(12)  録音手段
(13)  切替え手段
(14)  制御手段
(２)  マイクロフォンユニット
(20)  ユニット本体
(21)  筐体
(22)  外部端子
(23)  接続配線
(24)  外装樹脂
(３)  マイクロフォンジャック
(30)  挿入孔
(31)  グランド端子
(32)  出力端子
(33)  出力端子
(34)  検知用端子
(４)  内蔵マイクロフォン
(41)  グランド端子
(42)  出力端子
(５)  外部マイクロフォン装置
(51)  入力ピン
(６)  防振ゴム（防振部材）
【図１】
2011035537.tif 000003
【図２】
2011035537.tif 000004
【図３】
2011035537.tif 000005
【図４】
2011035537.tif 000006
【図５】
2011035537.tif 000007
【図６】
2011035537.tif 000008
【図７】
2011035537.tif 000009
【図８】
2011035537.tif 000010